(57)【要約】      （修正有）【課題】コンテンツサーバ側の処理負荷を増大させずに、ユーザ端末側の諸条件に応じて、ユーザ端末に配信されるコンテンツを網側で最適化して配信可能とする。【解決手段】ゲートウェイサーバ２０（中継サーバ）は、コンテンツサーバ４０から、出し分け可能な形式のコンテンツを取得し、所定の出し分け条件に基づいて、ユーザ端末１０に配信するコンテンツを出し分ける。【選択図】図１
2010257177.tif 000002
【特許請求の範囲】
【請求項１】
ユーザ端末からのコンテンツ配信要求に応じてコンテンツサーバから出し分け可能な形式のコンテンツを取得するコンテンツ取得部と、
出し分け条件に基づいて、前記ユーザ端末に配信するコンテンツを出し分けるコンテンツ出し分け部と、
を具備することを特徴とする中継サーバ。
【請求項２】
前記コンテンツ取得部は、定額制向けコンテンツと非定額制向けコンテンツとに出し分け可能なコンテンツを取得し、
前記コンテンツ出し分け部は、ユーザ端末の課金形態が定額制である場合、前記定額制向けコンテンツを前記ユーザ端末に配信し、前記ユーザ端末の前記課金形態が非定額制である場合、前記非定額制向けコンテンツを前記ユーザ端末に配信することを特徴とする請求項１に記載の中継サーバ。
【請求項３】
前記定額制向けコンテンツは、動画であり、前記非定額制向けコンテンツは、静止画であることを特徴とする請求項２に記載の中継サーバ。
【請求項４】
前記コンテンツ取得部は、所定年齢以上のユーザを対象とする所定年齢向け情報を含む所定年齢向け情報有コンテンツと前記所定年齢向け情報を含まない所定年齢向け情報無コンテンツとに出し分け可能なコンテンツを取得し、
前記コンテンツ出し分け部は、前記ユーザ端末のユーザ年齢が前記所定年齢よりも大きい場合、前記所定年齢向け情報有コンテンツを前記ユーザ端末に配信し、前記ユーザ端末の前記ユーザ年齢が前記所定年齢よりも小さい場合、前記所定年齢向け情報無コンテンツを配信することを特徴とする請求項１に記載の中継サーバ。
【請求項５】
前記コンテンツ取得部は、所定エリアに在圏するユーザを対象とする所定エリア向け情報を含む所定エリア向け情報有コンテンツと前記所定エリア向け情報を含まない所定エリア向け情報無コンテンツとに出し分け可能なコンテンツを取得し、
前記コンテンツ出し分け部は、前記ユーザ端末の在圏エリアが前記所定エリアに該当する場合、前記所定エリア向け情報有コンテンツを前記ユーザ端末に配信し、前記ユーザ端末の在圏エリアが前記所定エリアに該当しない場合、前記所定エリア向け情報無コンテンツを配信することを特徴とする請求項１に記載の中継サーバ。
【請求項６】
コンテンツ配信要求を出すユーザ端末と、
コンテンツを配信するコンテンツサーバと、
前記コンテンツサーバから送信されたコンテンツを前記ユーザ端末に中継する中継サーバとを備えたコンテンツ配信システムであり、
ユーザ端末からのコンテンツ配信要求に応じて前記コンテンツサーバが出し分け可能な形式のコンテンツを配信し、
前記中継サーバが前記コンテンツサーバから出し分け可能な形式のコンテンツを受け取り、出し分け条件に基づいて、前記ユーザ端末に配信するコンテンツを出し分ける
ことを特徴とするコンテンツ配信システム。
【請求項７】
ユーザ端末から出されたコンテンツ配信要求をコンテンツサーバへ送信するステップと、
ユーザ端末からのコンテンツ配信要求に応じてコンテンツサーバから出し分け可能な形式のコンテンツを取得するステップと、
出し分け条件に基づいて、前記ユーザ端末に配信するコンテンツを出し分けるステップと、
を具備することを特徴とするコンテンツ配信方法。
【発明の詳細な説明】
【技術分野】
【０００１】
本発明は、ユーザ端末へコンテンツを配信する中継サーバ、コンテンツ配信システム及びコンテンツ配信方法に関する。
【背景技術】
【０００２】
従来、ユーザが、ユーザ端末の課金形態に応じて最適なコンテンツを選択することによって、コンテンツ提供者からユーザ端末に配信されるコンテンツを最適化するコンテンツ配信システムが知られている（例えば、特許文献１）。
【０００３】
このコンテンツ配信システムでは、ユーザ端末の課金形態が、通信データ量に関わらず一定の料金が課金される定額制である場合は、ユーザが、高解像度・動画等の付加価値の高いコンテンツを選択する。一方、ユーザ端末の課金形態が、通信データ量に応じて課金される非定額制である場合は、ユーザが、低解像度・静止画等の付加価値の低いコンテンツを選択する。コンテンツ提供者は、ユーザによって選択されたコンテンツを、ユーザ端末に配信する。このようなコンテンツ配信システムでは、ユーザ端末が、自身の課金形態を判別し、判別した課金形態に応じたコンテンツを選択する必要があるため、ユーザ端末側の処理負荷が増大してしまう。
【先行技術文献】
【特許文献】
【０００４】
【特許文献１】特開２００７−１２９４７２号公報
【発明の概要】
【発明が解決しようとする課題】
【０００５】
ところで、上述のようなコンテンツ配信システムにおいて、ユーザ端末側の処理負荷を軽減するためには、コンテンツを提供するコンテンツサーバ側で、ユーザ端末の課金形態に応じて、ユーザ端末に配信するコンテンツを最適化することも想定される。
【０００６】
しかしながら、コンテンツサーバ側でコンテンツを最適化する場合には、コンテンツサーバが、ユーザ端末の課金形態を取得し、ユーザ端末の課金形態に応じたコンテンツを選択する必要があるため、コンテンツサーバ側の処理負荷が増大してしまう。
【０００７】
このような問題点は、ユーザ端末の課金形態に応じたコンテンツを配信する場合に限られるものではなく、ユーザ端末側の処理負荷だけでなく、コンテンツサーバ側の処理負荷を増大させずに、ユーザ端末に配信されるコンテンツを最適化する仕組みが望まれていた。
【０００８】
本発明は、かかる点に鑑みてなされたものであり、コンテンツサーバ側の処理負荷を増大させずに、ユーザ端末側の諸条件に応じて、ユーザ端末に配信されるコンテンツを網側で最適化して配信可能な中継サーバ、コンテンツ配信システム及びコンテンツ配信方法を提供することを目的とする。
【課題を解決するための手段】
【０００９】
本発明の中継サーバは、ユーザ端末からのコンテンツ配信要求に応じてコンテンツサーバから出し分け可能な形式のコンテンツを取得するコンテンツ取得部と、出し分け条件に基づいて、前記ユーザ端末に配信するコンテンツを出し分けるコンテンツ出し分け部とを具備することを特徴とする。
【００１０】
この構成によれば、コンテンツサーバから出し分け可能な形式のコンテンツを取得した中継サーバが、出し分け条件に基づいて、前記ユーザ端末に配信するコンテンツを出し分けるので、コンテンツサーバ側の処理負荷を増大させずに、ユーザ端末側の諸条件に応じて、ユーザ端末に配信されるコンテンツを網側で最適化して配信することができる。
【００１１】
また、本発明は、上記中継サーバにおいて、前記コンテンツ取得部は、定額制向けコンテンツと非定額制向けコンテンツとに出し分け可能なコンテンツを取得し、前記コンテンツ出し分け部は、ユーザ端末の課金形態が定額制である場合、前記定額制向けコンテンツを前記ユーザ端末に配信し、前記ユーザ端末の前記課金形態が非定額制である場合、前記非定額制向けコンテンツを前記ユーザ端末に配信することを特徴とする。
【００１２】
この構成によれば、中継サーバが、ユーザ端末の課金形態が定額制であるか非定額制であるかに基づいて、ユーザ端末に配信するコンテンツを出し分ける。このため、コンテンツサーバは、ユーザ端末の課金形態が非定額制であるか否かにかかわらず、付加価値の高い大容量のコンテンツを配信することができ、課金形態が定額制であるユーザ端末に対して、付加価値の高い大容量のコンテンツを配信することができ、課金形態が非定額制であるユーザ端末に対してはデータ容量の小さいコンテンツを配信できる。
【００１３】
また、本発明は、上記中継サーバにおいて、前記定額制向けコンテンツを動画とし、前記非定額制向けコンテンツを静止画とした出し分けをしても良い。
【００１４】
また、本発明は、上記中継サーバにおいて、前記コンテンツ取得部は、所定年齢以上のユーザを対象とする所定年齢向け情報を含む所定年齢向け情報有コンテンツと、前記所定年齢向け情報を含まない所定年齢向け情報無コンテンツとに出し分け可能なコンテンツを取得し、前記コンテンツ出し分け部は、前記ユーザ端末のユーザ年齢が前記所定年齢よりも大きい場合、前記所定年齢向け情報有コンテンツを前記ユーザ端末に配信し、前記ユーザ端末の前記ユーザ年齢が前記所定年齢よりも小さい場合、前記所定年齢向け情報無コンテンツを配信することを特徴とする。
【００１５】
この構成により、ユーザ年齢に応じてコンテンツを出し分けることができ、コンテンツプロバイダはユーザ年齢による制限を受けることなく、自由にコンテンツを配信することができる。
【００１６】
また、本発明は、上記中継サーバにおいて、前記コンテンツ取得部は、所定エリアに在圏するユーザを対象とする所定エリア向け情報を含む所定エリア向け情報有コンテンツと、前記所定エリア向け情報を含まない所定エリア向け情報無コンテンツとに出し分け可能なコンテンツを取得し、前記コンテンツ出し分け部は、前記ユーザ端末の在圏エリアが前記所定エリアに該当する場合、前記所定エリア向け情報有コンテンツを前記ユーザ端末に配信し、前記ユーザ端末の在圏エリアが前記所定エリアに該当しない場合、前記所定エリア向け情報無コンテンツを配信することを特徴とする。
【００１７】
この構成により、ユーザ端末の在圏エリアに応じてコンテンツを出し分けることができ、特定エリア向けのコンテンツを該当エリアに在圏するユーザ端末へ確実に配信できると共に、該当エリアに在圏していないユーザ端末への配信を防止することができる。
【００１８】
また、本発明のコンテンツ配信システムは、コンテンツ配信要求を出すユーザ端末と、コンテンツを配信するコンテンツサーバと、前記コンテンツサーバから送信されたコンテンツを前記ユーザ端末に中継する中継サーバとを備えたコンテンツ配信システムであり、ユーザ端末からのコンテンツ配信要求に応じて前記コンテンツサーバが出し分け可能な形式のコンテンツを配信し、前記中継サーバが前記コンテンツサーバから出し分け可能な形式のコンテンツを受け取り、出し分け条件に基づいて、前記ユーザ端末に配信するコンテンツを出し分けることを特徴とする。
【００１９】
また、本発明のコンテンツ配信方法は、ユーザ端末から出されたコンテンツ配信要求をコンテンツサーバへ送信するステップと、ユーザ端末からのコンテンツ配信要求に応じてコンテンツサーバから出し分け可能な形式のコンテンツを取得するステップと、出し分け条件に基づいて、前記ユーザ端末に配信するコンテンツを出し分けるステップとを具備することを特徴とする。
【発明の効果】
【００２０】
本発明によれば、コンテンツサーバ側の処理負荷を増大させずに、ユーザ端末側の諸条件に応じて、ユーザ端末に配信されるコンテンツを網側で最適化して配信可能な中継サーバ、コンテンツ配信システム及びコンテンツ配信方法を提供することができる。
【図面の簡単な説明】
【００２１】
【図１】本発明の第１の実施形態に係るコンテンツ配信システムの概略図である。
【図２】本発明の第１の実施形態に係るゲートウェイサーバの構成図である。
【図３】（ａ）本発明の第１の実施形態に係る出し分け可能な形式のコンテンツと、（ｂ）本発明の第１の実施形態に係る定額制向けコンテンツと、（ｃ）本発明の第１の実施形態に係る非定額制向けコンテンツとを説明するための図である。
【図４】本発明の第１の実施形態に係るコンテンツ配信方法を示すシーケンス図である。
【図５】本発明の第１の実施形態に係るゲートウェイサーバの動作を示すフローチャートである。
【図６】（ａ）本発明の第２の実施形態に係る出し分け可能な形式のコンテンツと、（ｂ）本発明の第２の実施形態に係る定額制向けコンテンツと、（ｃ）本発明の第２の実施形態に係る非定額制向けコンテンツとを説明するための図である。
【発明を実施するための形態】
【００２２】
以下、本発明の実施形態について、添付図面を参照して詳細に説明する。
［第１の実施形態］
図１は、本発明の実施形態に係るコンテンツ配信システムの概略図である。図１に示すように、コンテンツ配信システム１は、ユーザ端末１０と、ゲートウェイサーバ２０と、顧客管理システム３０と、コンテンツサーバ４０とを具備する。
【００２３】
ユーザ端末１０は、例えば、移動端末であり、図示しない基地局等を介して、ゲートウェイサーバ２０に接続される。ゲートウェイサーバ２０（中継サーバ）は、ユーザ端末１０とコンテンツサーバ４０との間の通信を中継する通信事業者のサーバである。顧客管理システム３０は、通信事業者と契約するユーザ端末１０のユーザ属性（例えば、課金形態、ユーザ年齢など）を管理するシステムであり、ゲートウェイサーバ２０に接続されている。また、顧客管理システム３０は、通信事業者の管理するゲートウェイサーバ２０からアクセス可能であるが、通信事業者の管理していないコンテンツサーバ４０からはアクセス不可能である。コンテンツサーバ４０は、ゲートウェイサーバ２０を介して、ユーザ端末１０にコンテンツを配信するサーバである。
【００２４】
このようなコンテンツ配信システム１では、ゲートウェイサーバ２０（中継サーバ）が、コンテンツサーバ４０から出し分け可能なコンテンツを取得し、所定の出し分け条件に基づいて、ユーザ端末１０に配信するコンテンツを出し分ける。したがって、コンテンツ配信システム１では、コンテンツサーバ側の処理負荷を増大させずに、ユーザ端末１０側の諸条件に応じて、ユーザ端末１０に配信されるコンテンツを網側で最適化することができる。
【００２５】
第１の実施形態では、コンテンツ配信システム１において、ゲートウェイサーバ２０が、ユーザ端末１０の課金形態が定額制であるか非定額制であるかに基づいて、ユーザ端末１０に配信するコンテンツを出し分ける例を説明する。
【００２６】
図２は、本発明の第１の実施形態に係るゲートウェイサーバ２０の構成図である。図２に示すように、ゲートウェイサーバ２０は、コンテンツ配信要求受信部２１と、コンテンツ取得部２２と、コンテンツ解析部２３と、顧客管理システム検索部２４と、ユーザ属性判定部２５と、コンテンツ加工部２６と、コンテンツ配信部２７とを具備する。
【００２７】
コンテンツ配信要求受信部２１は、ユーザ端末１０から、コンテンツ配信要求とユーザ端末１０の識別情報（例えば、電話番号や契約者番号）とを受信する。ここで、コンテンツ配信要求とは、コンテンツサーバ４０に対してコンテンツの配信を要求するものであり、コンテンツサーバ４０及びコンテンツの識別情報（例えば、ＵＲＬ：Ｕｎｉｆｏｒｍ  Ｒｅｓｏｕｒｃｅ  Ｌｏｃａｔｏｒ）を含んでいる。また、コンテンツ配信要求受信部２１は、ユーザ端末１０から受信したコンテンツ配信要求をコンテンツサーバ４０に転送する。
【００２８】
コンテンツ取得部２２は、コンテンツサーバ４０から、上述のコンテンツ配信要求に応じて配信されたコンテンツを取得する。
【００２９】
コンテンツ解析部２３は、コンテンツ取得部２２によって取得されたコンテンツが、出し分け可能な形式のコンテンツであるか否かを解析する。コンテンツ解析部２３は、解析結果が出し分け可能な形式のコンテンツである場合、顧客管理システム検索部２４にその旨を通知し、解析結果が出し分け可能な形式のコンテンツでない場合、コンテンツ配信部２７にその旨を通知する。
【００３０】
ここで、出し分け可能な形式のコンテンツとは、コンテンツを出し分けるためのタグ領域を含むＨＴＭＬファイルである。具体的には、図３（ａ）に示すように、定額制向けコンテンツと非定額制向けコンテンツとに出し分け可能な形式のコンテンツは、定額制向けコンテンツを配信するための定額制向けタグａと、非定額制向けコンテンツを配信するためのタグ非定額制向けタグｂとを含んでいる。
【００３１】
定額制向けタグａでは、定額制向けコンテンツとして、動画コンテンツ「img  src="/images/xxxxx_flash.swf"」が指定されている。なお、定額制向けコンテンツとしては、動画コンテンツだけでなく、高解像度コンテンツ等の大容量のコンテンツが指定されていてもよい。
【００３２】
また、非定額制向けタグｂは、非定額制向けコンテンツとして、静止画コンテンツ「img  src="/images/xxxxx.gif"」が指定されている。なお、非定額制向けコンテンツとしては、静止画コンテンツだけでなく、低解像度コンテンツ等の小容量のコンテンツが指定されていてもよい。
【００３３】
顧客管理システム検索部２４は、コンテンツ解析部２３による解析結果が出し分け可能な形式のコンテンツである場合、ユーザ端末１０からのコンテンツ配信要求に含まれるユーザ端末１０の識別情報をキーとして、顧客管理システム３０にユーザ端末１０の課金形態を照会する。なお、顧客管理システム検索部２４は、顧客管理システム３０に照会せずに、ゲートウェイサーバ２０内の記憶部（図示なし）に記憶された契約情報から、ユーザ端末１０の課金形態を取得してもよい。
【００３４】
ユーザ属性判定部２５は、顧客管理システム検索部２４によって取得されたユーザ端末１０の課金形態が定額制であるか、非定額制であるかを判定する。ユーザ属性判定部２５は、ユーザ端末１０の課金形態が定額制である場合、定額制向けコンテンツを配信することを決定し、ユーザ端末１０の課金形態が非定額制である場合、非定額制向けコンテンツを配信することを決定する。
【００３５】
コンテンツ加工部２６は、ユーザ属性判定部２５による決定結果に従って、コンテンツサーバ４０から取得した出し分け可能なコンテンツを加工する。
【００３６】
具体的には、コンテンツ加工部２６は、ユーザ属性判定部２５が定額制向けコンテンツを配信することを決定した場合、図３（ｂ）に示すように、定額制向けタグａで指定された定額制コンテンツ「img  src="/images/xxxxx_flash.swf"」を配信するように、ＨＴＭＬファイルを加工する。一方、コンテンツ加工部２６は、ユーザ属性判定部２５が非定額制向けコンテンツを配信することを決定した場合、図３（ｃ）に示すように、非定額制向けタグｂで指定された非定額制コンテンツ「img  src="/images/xxxxx.gif"」を配信するように、ＨＴＭＬファイルを加工する。
【００３７】
コンテンツ配信部２７は、コンテンツ加工部２６で加工されたコンテンツをユーザ端末１０に配信する。また、コンテンツ配信部２７は、コンテンツ解析部２３による解析結果が出し分け可能形式のコンテンツではない場合、コンテンツサーバ４０から取得されたコンテンツをそのままユーザ端末１０に配信する。
【００３８】
次に、以上のように構成された第１の実施形態に係るコンテンツ配信システム１におけるコンテンツ配信方法について説明する。図４は、本発明の第１の実施形態に係るコンテンツ配信方法を示すシーケンス図である。
【００３９】
図４に示すように、ユーザ端末１０は、ゲートウェイサーバ２０に対して、コンテンツサーバ４０に対するコンテンツ配信要求と、ユーザ端末１０の識別情報とを送信する（ステップＳ１１）。
【００４０】
ゲートウェイサーバ２０は、ユーザ端末１０から受信したコンテンツ配信要求を、コンテンツサーバ４０に転送する（ステップＳ１２）。
【００４１】
コンテンツサーバ４０は、ゲートウェイサーバ２０に対して、コンテンツ配信要求で指定されたコンテンツを送信する（ステップＳ１３）。なお、コンテンツサーバ４０は、ゲートウェイサーバ２０に対して、出し分け可能な形式のコンテンツと出し分け不可能な形式のコンテンツを送信可能であるが、ここでは、出し分け可能な形式のコンテンツを送信するものとする。
【００４２】
ゲートウェイサーバ２０は、ステップＳ１１で受信したコンテンツ配信要求に含まれるユーザ端末１０の識別情報をキーに、ユーザ端末１０の課金形態を顧客管理システム３０に照会する（ステップＳ１４）。
【００４３】
顧客管理システム３０は、ユーザ端末１０の課金形態の照会結果を送信する（ステップＳ１５）。
【００４４】
ゲートウェイサーバ２０は、ユーザ端末１０の課金形態が定額制である場合、定額制向けコンテンツをユーザ端末１０に配信し、ユーザ端末１０の課金形態が非定額制である場合、非定額制向けコンテンツをユーザ端末１０に配信する（ステップＳ１６）。
【００４５】
次に、本発明の第１の実施形態に係るコンテンツ配信方法について、ゲートウェイサーバ２０の動作を中心に詳述する。図５は、本発明の第１の実施形態に係るゲートウェイサーバ２０の動作を示すフローチャートである。
【００４６】
図５に示すように、コンテンツ配信要求受信部２１は、ユーザ端末１０から、コンテンツサーバ４０に対するコンテンツ配信要求と、ユーザ端末１０の識別情報とを受信する。コンテンツ配信要求受信部２１は、受信したコンテンツ配信要求をコンテンツサーバ４０に転送する（ステップＳ２１）。
【００４７】
コンテンツ取得部２２は、コンテンツサーバ４０から、ステップＳ２１のコンテンツ配信要求に応じて配信されたコンテンツを取得する（ステップＳ２２）。
【００４８】
コンテンツ解析部２３は、ステップＳ２２で取得されたコンテンツが出し分け可能な形式のコンテンツであるか否かを解析する（ステップＳ２３）。具体的には、コンテンツ解析部２３は、ステップＳ２２で取得されたコンテンツに、定額制向けタグａと非定額制向けタグｂとが含まれているか否かを判定する。ステップＳ２２で取得されたコンテンツが出し分け可能な形式のコンテンツである場合、ステップＳ２４に進む。
【００４９】
ステップＳ２２で取得されたコンテンツが出し分け可能な形式のコンテンツでない場合、コンテンツ配信部２７は、ユーザ端末１０に対して、ステップＳ２２で取得されたコンテンツをそのまま配信する（ステップＳ２５）。
【００５０】
一方、コンテンツが出し分け可能な形式のコンテンツである場合、顧客管理システム検索部２４は、ステップＳ２１で受信されたユーザ端末１０の識別情報をキーとして、顧客管理システム３０にユーザ端末１０の課金形態を照会する（ステップＳ２４）。
【００５１】
ユーザ属性判定部２５は、ステップＳ２４で照会されたユーザ端末１０の課金形態が定額制であるか、非定額制であるかを判定する（ステップＳ２６）。
【００５２】
ユーザ端末１０の課金形態が定額制である場合、コンテンツ加工部２６は、定額制向けタグａで指定された定額制コンテンツを配信するように、ステップＳ２２で取得されたコンテンツを加工する。コンテンツ配信部２７は、加工されたコンテンツをユーザ端末１０に配信する（ステップＳ２７）。
【００５３】
ユーザ端末１０の課金形態が非定額制である場合、コンテンツ加工部２６は、非定額制向けタグｂで指定された非定額制コンテンツを配信するように、ステップＳ２２で取得されたコンテンツを加工する。コンテンツ配信部２７は、加工されたコンテンツをユーザ端末１０に配信する（ステップＳ２８）。
【００５４】
第１の実施形態に係るコンテンツ配信システム１によれば、ゲートウェイサーバ２０が、ユーザ端末１０の課金形態が定額制であるか非定額制であるかに基づいて、ユーザ端末１０に配信するコンテンツを出し分ける。このため、コンテンツサーバ４０側の処理負荷を増大させずに、ユーザ端末１０の課金形態に応じて、ユーザ端末１０に配信されるコンテンツを網側で最適化することができる。さらに、コンテンツサーバ４０は、ユーザ端末１０の課金形態が非定額制であるか否かにかかわらず、付加価値の高い大容量のコンテンツを配信することができ、課金形態が定額制であるユーザ端末１０に対して、付加価値の高い大容量のコンテンツを配信することができる。
【００５５】
また、第１の実施形態に係るコンテンツ配信システム１によれば、ユーザ端末１０が契約する通信事業者が管理するゲートウェイサーバ２０が、コンテンツを出し分ける。このため、コンテンツサーバ４０を管理する外部のコンテンツ提供者に、ユーザ端末１０のプライバシーに係る課金形態を知られずに、ネットワーク側主導で最適なコンテンツを配信することができる。
【００５６】
[第２の実施形態]
次に、第２の実施形態では、コンテンツ配信システム１において、ゲートウェイサーバ２０が、ユーザ端末１０のユーザ年齢が所定年齢以上であるか否かに基づいて、ユーザ端末１０に配信するコンテンツを出し分ける例について、第１実施形態のゲートウェイサーバ２０との相違点を中心に説明する。
【００５７】
第２の実施形態に係るコンテンツ取得部２２は、所定年齢以上のユーザを対象とする所定年齢向け情報を含む所定年齢向け情報有コンテンツと、所定年齢向け情報を含まない所定年齢向け情報無コンテンツとに出し分け可能なコンテンツを取得する。具体的には、図６（ａ）に示すように、第２の実施形態に係る出し分け可能な形式のコンテンツは、所定年齢向け情報を配信するための所定年齢向けタグｃを含んでいる。
【００５８】
第２の実施形態に係る顧客管理システム検索部２４は、ユーザ端末１０の識別情報をキーとして、ユーザ端末１０の課金形態の代わりにユーザ端末１０のユーザ年齢を顧客管理システム３０に照会する。ユーザ属性判定部２５は、顧客管理システム検索部２４によって取得されたユーザ端末１０のユーザ年齢が所定年齢（例えば、２０歳）より大きいか否かを判定する。ユーザ属性判定部２５は、ユーザ端末１０のユーザ年齢が所定年齢より大きい場合、所定年齢向け情報を含む所定年齢向け情報有コンテンツを配信することを決定し、ユーザ端末１０のユーザ年齢が所定年齢より大きくない場合、所定年齢向け情報を含まない所定年齢向け情報無コンテンツを配信することを決定する。
【００５９】
第２の実施形態に係るコンテンツ加工部２６は、ユーザ属性判定部２５による決定結果に従って、コンテンツサーバ４０から取得した出し分け可能なコンテンツを加工する。具体的には、コンテンツ加工部２６は、ユーザ属性判定部２５が所定年齢向け情報有コンテンツを配信することを決定した場合、図６（ｂ）に示すように、所定年齢向けタグｃで指定された所定年齢向け情報「img  src="/images/yyyyy_flash.swf"」を配信するように、ＨＴＭＬファイルを加工する。一方、コンテンツ加工部２６は、ユーザ属性判定部２５が所定年齢向け情報無コンテンツを配信することを決定した場合、図６（ｃ）に示すように、所定年齢向けタグｃで指定された所定年齢向け情報「img  src="/images/yyyyy_flash.swf"」を配信しないように、ＨＴＭＬファイルを加工する。
【００６０】
第２の実施形態に係るコンテンツ配信システム１によれば、ゲートウェイサーバ２０が、ユーザ端末１０のユーザ年齢に基づいて、ユーザ端末１０に配信するコンテンツを出し分けることができる。このため、コンテンツサーバ４０側の処理負荷を増大させずに、ユーザ端末１０のユーザ年齢に応じて、ユーザ端末１０に配信されるコンテンツを網側で最適化することができる。さらに、コンテンツサーバ４０は、ユーザ端末１０のユーザ年齢を気にすることなく、多様なコンテンツを配信することができる。
【００６１】
また、第２の実施形態に係るコンテンツ配信システム１によれば、ユーザ端末１０が契約する通信事業者が管理するゲートウェイサーバ２０が、コンテンツを出し分ける。このため、コンテンツサーバ４０を管理する外部のコンテンツ提供者に、ユーザ端末１０のプライバシーに係るユーザ年齢を知られずに、ネットワーク側主導で最適なコンテンツを配信することができる。
【００６２】
[第３の実施形態]
次に、第３の実施形態では、コンテンツ配信システム１において、ゲートウェイサーバ２０が、ユーザ端末１０の在圏エリアが所定エリアに該当するか否かに基づいて、ユーザ端末１０に配信するコンテンツを出し分ける例について、第２実施形態のゲートウェイサーバ２０との相違点を中心に説明する。
【００６３】
第３の実施形態に係るコンテンツ取得部２２は、所定エリアに在圏するユーザを対象とする所定エリア向け情報を含む所定エリア向け情報有コンテンツと、所定エリア向け情報を含まないエリア向け情報無コンテンツとに出し分け可能なコンテンツを取得する。
【００６４】
第３の実施形態に係るユーザ属性判定部２５は、端末位置管理システム（図示なし）によって取得されたユーザ端末１０の在圏エリアが所定エリアに該当するか否かを判定する。ユーザ属性判定部２５は、ユーザ端末１０の在圏エリアが所定エリアに該当する場合、所定エリア向け情報を含む所定エリア向け情報有コンテンツを配信することを決定し、ユーザ端末１０の在圏エリアが所定エリアに該当しない場合、所定エリア向け情報を含まない所定エリア向け情報無コンテンツを配信することを決定する。
【００６５】
第３の実施形態に係るコンテンツ加工部２６は、ユーザ属性判定部２５による決定結果に従って、第２実施形態と同様に、所定年齢向け情報を配信する又は配信しないように、コンテンツサーバ４０から取得した出し分け可能なコンテンツを加工する。
【００６６】
第３の実施形態に係るコンテンツ配信システム１によれば、ゲートウェイサーバ２０が、ユーザ端末１０の在圏エリアが所定エリアであるかに基づいて、ユーザ端末１０に配信するコンテンツを出し分けることができる。このため、コンテンツサーバ４０側の処理負荷を増大させずに、ユーザ端末１０の在圏エリアに応じて、ユーザ端末１０に配信されるコンテンツを網側で最適化することができる。さらに、コンテンツサーバ４０は、ユーザ端末１０のエリアを把握することなく、多様なコンテンツを配信することができる。
【００６７】
[その他の実施形態]
上述の第１及び第２実施形態では、ゲートウェイサーバ２０の顧客管理システム検索部２４に、ユーザ端末１０の課金形態及びユーザ年齢を照会する例について説明したが、顧客管理システム３０が管理するユーザ属性に関するその他の情報を照会し、ユーザ端末１０の課金形態及びユーザ年齢以外のその他のユーザ属性に基づいて、コンテンツを出し分けてもよい。
【符号の説明】
【００６８】
１…コンテンツ配信システム
１０…ユーザ端末
２０…ゲートウェイサーバ
３０…顧客管理システム
４０…コンテンツサーバ
２１…コンテンツ配信要求受信部
２２…コンテンツ取得部
２３…コンテンツ解析部
２４…顧客管理システム検索部
２５…ユーザ属性判定部
２６…コンテンツ加工部
２７…コンテンツ配信部
ａ…定額制向けタグ
ｂ…非定額制向けタグ
ｃ…所定年齢向けタグ
【図１】
2010257177.tif 000003
【図２】
2010257177.tif 000004
【図３】
2010257177.tif 000005
【図４】
2010257177.tif 000006
【図５】
2010257177.tif 000007
【図６】
2010257177.tif 000008